(57)【要約】      （修正有）【課題】竹に孔などの大きな加工を施す場合であっても、割れが発生する可能性の少ない、竹炭で構成された調度品を提供する。【解決手段】調度品としての竹炭埴輪は、上下の二つの節１２、１３に挟まれた節間からなる主体筒状部１１と、主体筒状部の上方にある節１２のさらに上方に設けられ、主体筒状部の長さＬｍより短い長さＬｕを有し、上方に向けて開放された上方筒状部１４と、主体筒状部の下方にある節１３のさらに下方に設けられ、主体筒状部の長さＬｍより短い長さＬｄを有し、下方に向けて開放された下方筒状部１５と、を具備する竹炭で構成される調度品であって、主体筒状部の壁面には孔１１ａ−１１ｄを備えた加工が施され、上方筒状部及び下方筒状部の壁面には、孔を備えた加工が施されない。【選択図】図１
0003235647.tif 000002
【実用新案登録請求の範囲】
【請求項１】
上下の二つの節に挟まれた節間からなる主体筒状部と、
前記主体筒状部の上方にある前記節のさらに上方に設けられ、前記主体筒状部の長さより短い長さを有し、上方に向けて開放された上方筒状部と、
前記主体筒状部の下方にある前記節のさらに下方に設けられ、前記主体筒状部の長さより短い長さを有し、下方に向けて開放された下方筒状部と、
を具備する竹炭で構成される調度品であって、
前記主体筒状部の壁面には孔を備えた加工が施され、
前記上方筒状部及び前記下方筒状部の壁面には、孔を備えた加工が施されない、
ことを特徴とする竹炭で構成された調度品。
【請求項２】
前記上方筒状部の長さＬｕ及び前記下方筒状部の長さＬｄは、前記主体筒状部の長さをＬｍとすると、（１／５）Ｌｍ以上、（３／５）Ｌｍ以下である、
請求項１に記載の竹炭で構成された調度品。
【請求項３】
前記孔の存在しない角度領域において外周部を上下方向に切断した背割り部が設けられ、前記背割り部は、竹炭化により角度が拡げられた形状とされている、
請求項１又は２に記載の竹炭で構成された調度品。
【請求項４】
前記上方の節の内側の隔壁は予め開口を備える態様に加工されてから竹炭化され、
前記下方の節の内側の隔壁はそのままの形状で竹炭化されてなる、
請求項１−３のいずれか一項に記載の竹炭で構成された調度品。
【請求項５】
前記主体筒状部の加工態様は、孔に加工された目、鼻、口のうちの少なくとも二つにそれぞれ相当する部分を含む顔構造を備える、
請求項１−４のいずれか一項に記載の竹炭で構成された調度品。
【考案の詳細な説明】
【技術分野】
【０００１】
本考案は竹炭で構成された工芸品や装飾品、埴輪、置物、壁掛けなどの調度品に関する。
【背景技術】
【０００２】
従来から、以下の特許文献１−７に記載されているように、竹を焼成して竹炭を作ることが行われている。また、製造された竹炭は、特許文献１−７に記載されているように、浄化機能、消臭機能などを備えるため、各種の浄化装置に用いられたり、置物や壁掛け、工芸品、装飾品などの各種の調度品として設置されたりしている。
【先行技術文献】
【特許文献】
【０００３】
【特許文献１】実開平６−６４７９８号公報
【特許文献２】特開平９−３２４１８０号公報
【特許文献３】登録実用新案第３０４７７５２号公報
【特許文献４】特開２０００−１４０５８７号公報
【特許文献５】登録実用新案第３０７９６６６号公報
【特許文献６】特開２００１−３５４９７０号公報
【特許文献７】特開２００３−０８２３６０号公報
【考案の概要】
【考案が解決しようとする課題】
【０００４】
上記のように竹炭によって置物を作成しようとする場合には、予め竹を加工し、その後に竹炭にする過程で、竹が割れて元の形態が崩れてしまわないようにする必要がある。このため、特許文献６や７では、元の形態を維持するための竹炭の製造方法に関する知見が開示されている。
【０００５】
ところが、上記のような従来の竹炭の製造方法であっても、竹に孔を開けるなどの大きな加工を施すと、竹炭を作る過程において、当該孔の縁から割れが生じて、元の形態を維持することができない場合があるという問題がある。
【０００６】
そこで、本考案は上記問題を解決するものであり、その課題は、竹に孔などの大きな加工を施す場合であっても、割れが発生する可能性の少ない、竹炭で構成された調度品を実現することにある。
【課題を解決するための手段】
【０００７】
上記課題を解決するために、本考案に係る竹炭で構成された調度品は、上下の二つの節に挟まれた節間からなる主体筒状部と、前記主体筒状部の上方にある前記節のさらに上方に設けられ、前記主体筒状部の長さより短い長さを有し、上方に向けて開放された上方筒状部と、前記主体筒状部の下方にある前記節のさらに下方に設けられ、前記主体筒状部の長さより短い長さを有し、下方に向けて開放された下方筒状部と、を具備する竹炭で構成される調度品であって、前記主体筒状部の壁面には孔を備えた加工が施され、前記上方筒状部及び前記下方筒状部の壁面には、孔を備えた加工が施されないことを特徴とする。
【０００８】
本考案において、前記上方筒状部の長さＬｕ及び前記下方筒状部の長さＬｄは、前記主体筒状部の長さをＬｍとすると、（１／５）Ｌｍ以上であることが好ましい。特に、（３／５）Ｌｍ以下であることが好ましい。さらには、（１／４）Ｌｍ−（１／２）Ｌｍの範囲内であることがさらに望ましい。
【０００９】
本考案において、前記孔の存在しない角度領域において外周部を上下方向に切断した背割り部が設けられ、前記背割り部は、竹炭化により角度が拡げられた形状とされていることが好ましい。
【００１０】
本考案において、前記上方の節の内側の隔壁は予め開口を備える態様に加工されてから竹炭化され、前記下方の節の内側の隔壁はそのままの形状で竹炭化されてなることが好ましい。
【００１１】
本考案において、前記主体筒状部の加工態様は、孔に加工された目、鼻、口のうちの少なくとも二つにそれぞれ相当する部分を含む顔構造を備えることが好ましい。
【００１２】
本考案において、前記竹炭は白竹炭であることが好ましい。箔竹炭は、一般に、８００℃以上の炭化温度で製造される。
【考案の効果】
【００１３】
本考案によれば、竹に孔などの大きな加工を施す場合であっても、割れが発生する可能性の少ない、竹炭で構成された調度品を実現することができる。
【図面の簡単な説明】
【００１４】
【図１】考案に係る竹炭で構成される調度品（埴輪）の一例である実施形態を模式的に示す正面図である。
【図２】同実施形態を模式的に示す平面図（ａ）及び底面図（ｂ）である。
【図３】同実施形態を模式的に示す背面図である。
【図４】同実施形態を模式的に示す右側面図である。
【図５】同実施形態を模式的に示す左側面図である。
【考案を実施するための形態】
【００１５】
次に、添付図面（図１−図５）を参照して本考案に係る竹炭で構成される工芸品、装飾品、埴輪、置物、壁掛けなどの調度品の実施形態について詳細に説明する。本考案に係る実施形態の調度品は、本明細書においては、以下、竹炭埴輪と呼ぶこととする。
【００１６】
本実施形態の竹炭埴輪１０は、孟宗竹の根元付近において上下二つの節に挟まれた節管に相当する主体筒状部１１と、この主体筒状部の上下両側に存在する二つの節１２，１３と、上方の節１２のさらに上方に配置され、上方に向けて開放された構造の上方筒状部１４と、下方の節１３のさらに下方に配置され、下方に向けて開放された構造の下方筒状部１５と、を具備する。
【００１７】
主体筒状部１１は、２０−４０ｃｍ程度の上下方向の長さＬｍを有することが好ましい。また、主体筒状部１１は、１０−３５ｃｍ程度の直径を有することが好ましい。主体筒状部１１の壁面には、目、鼻、口などの顔面の特徴部を示す複数の孔１１ａ、１１ｂ，１１ｃ，１１ｄが形成されている。具体的には、眉を示す一対の孔１１ａ，１１ａと、目を示す一対の孔１１ｂ，１１ｂと、鼻を示す孔１１ｃと、口を示す孔１１ｄとを有する。なお、複数の孔を備えて顔面のように見える様子は最も好ましい態様であるが、この場合でも、眉、鼻、口を省略してもよいなど、目、鼻、口のうちの少なくとも二つを備えることにより、全体として顔面状に見えればよい。また、顔面でなくとも、少なくとも一つの孔を備えた形態であれば、特に限定されない。
【００１８】
上方筒状部１４は、切断された上端縁１４ａにおいて内部が上方に開放されている。上方筒状部１４は、主体筒状部１１の上下方向の長さＬｍより短い長さＬｕを備える。特に、主体筒状部１１の長さをＬｍとしたとき、（１／５）Ｌｍ以上の上下方向の長さＬｕを備えることが好ましい。ここで、上方筒状部１４の上下方向の長さＬｕは、（１／５）Ｌｍ−（３／５）Ｌｍの範囲内であることが好ましく、特に、（１／４）Ｌｍ−（１／２）Ｌｍの範囲内であることがさらに望ましい。この上方筒状部１４の壁面には、上記のような孔は形成されない。
【００１９】
下方筒状部１５は、切断された下端縁１５ａにおいて内部が上方に開放されている。上方筒状部１４は、主体筒状部１１の上下方向の長さＬｍより短い長さＬｄを備える。特に、主体筒状部１１の長さをＬｍとしたとき、（１／５）Ｌｍ以上の上下方向の長さＬｄを備えることが好ましい。ここで、下方筒状部１５の上下方向の長さＬｄは、（１／５）Ｌｍ−（３／５）Ｌｍの範囲内であることが好ましく、特に、（１／４）Ｌｍ−（１／２）Ｌｍの範囲内であることがさらに望ましい。この下方筒状部１５の壁面には、上記のような孔は形成されない。
【００２０】
また、本実施形態の竹炭埴輪１０では、主体筒状部１１において、前記孔１１ａ−１１ｄの存在しない角度領域、例えば、図３に示す背面領域において外周部を上下方向に切断した背割り部１６が設けられる。この背割り部１６は、焼成前に予め竹に縦に切り込みを入れておき、焼成時において竹炭化により開き角度が拡げられた形状とされる。図示例の場合、背割り部１６は、図２に示すように、４５−５５度の範囲内の開き角度（中心角度）となるように、拡げられた形状とされる。一般的には、上記開き角度は、２０−８０度の範囲内であることが好ましく、特に、３０−６０度の範囲内であることが望ましい。
【００２１】
本実施形態の竹炭埴輪１０は、上方の節１２の内側の隔壁１２ａの少なくとも一部（例えば、中央部）を予め除去して開口させた状態とすることが好ましい。これは、焼成時において筒内側への変形を抑制するための充填物（籾殻など）を充填しやすくするためである。一方、下方の節１３の内側の隔壁１３ａは、そのままとしておく。これは、隔壁１３ａによって半径方向外側への過剰な変形を抑制するためである。ただし、本実施形態では、上記背割り部１６を設けているため、隔壁１３ａは背割り部１６との交差箇所で外縁部が切断され、焼成時における拡がりによって図２（ｂ）に示すように割れた状態となっている。
【００２２】
上方筒状部１４の上下方向の長さＬｕと下方筒状部１５の上下方向の長さＬｄは、小さすぎると焼成時の補強効果が弱くなり、大きすぎると上方筒状部１４の開口上縁や下方筒状部１５の開口下縁に割れが入りやすくなる。また、上方筒状部１４及び下方筒状部１５は、孔などの加工が施されないことにより、節１２，１３とともに、環状（管状）の補強部分として機能し、主体筒状部の変形を抑制することにより、当該変形によって孔から割れが生ずることを防止できる。
【００２３】
ここで、上記背割り部１６を形成しない場合でも、上記の節１２，１３と上方筒状部１４及び下方筒状部１５の補強作用により、竹炭化により、支障のない調度品を製造することができる。この場合には、上方の節１２の内側の隔壁１２ａを開口させるが、下方の節１３の内側の隔壁１３ａはそのまま閉鎖させておくことにより、竹炭化後においても、隔壁１２ａは開口し、隔壁１３ａは閉鎖されたままとすることができる。なお、隔壁１２ａは、図示例のように中央のみではなく、全体をくりぬくように除去しても構わない。
【００２４】
竹炭埴輪１０は、前述のように竹炭を切り出して加工したら、籾殻などの柔らかく炭化しやすい充填物を入れたペール缶などの耐熱性及び剛性のある容器に入れ、竹を入れた後に、竹の内側にも充填物を詰めてしっかりと内外から保持されるようにし、これを炭化窯の内部へ入れる。このとき、上記容器には蓋をしなくてもよく、また、その側面には縦に数カ所（３箇所）スリットを入れ、充填物がこぼれない程度に通気性を向上させることが好ましい。なお、上記容器の周囲には、通常の竹炭を製造するための竹を詰めてもよい。そして、徐々に温度を上げていき、数週間かけて炭化が或る程度進んだ段階で、８００℃以上の高温で２４時間程度焼成し（精錬工程）、白竹炭を形成する。このようにすると、割れが少なく、主体筒状部１１の孔１１ａ−１１ｄを含む加工パターンも損なわれない竹炭埴輪１０が形成される。なお、上記精錬工程の加熱温度は、１０００−１３００度或いはそれ以上であってもよい。このようにすると、極めて硬度が高く、叩くと金属音のする高品位の白竹炭を得ることができる。
【００２５】
なお、本考案の竹炭で構成される調度品は、上述の図示例のみに限定されるものではなく、本考案の要旨を逸脱しない範囲内において種々変更を加え得ることは勿論である。例えば、上記実施形態の竹炭埴輪１０は、置物として用いる場合に好適な例を示しているが、壁掛けであってもよく、花生け、電灯カバー、灯篭などの各種の工芸品や装飾品として用いられるものであってもよい。また、竹炭の作用として消臭や空気浄化が期待できるため、消臭材や空気浄化用の品物として用いることができる。
【符号の説明】
【００２６】
１０…竹炭埴輪、１１…主体筒状部（節間）、１１ａ−１１ｄ…孔、１２，１３…節、１２ａ，１３ａ…節の内側の隔壁、１４…上方筒状部、１４ａ…上端縁、１５…下方筒状部、１５ａ…下端縁、１６…背割り部、Ｌｍ…主体筒状部の上下方向の長さ、Ｌｕ…上方筒状部の上下方向の長さ、Ｌｄ…下方筒状部の上下方向の長さ
【図１】
0003235647.tif 000003
【図２】
0003235647.tif 000004
【図３】
0003235647.tif 000005
【図４】
0003235647.tif 000006
【図５】
0003235647.tif 000007